(57)【要約】      （修正有）【課題】市販の袋入りの除菌剤をそのまま使用できる、利便性の良い除菌剤収納具を提供する。【解決手段】基端部５の両側からそれぞれ挟持片２１、２１が延びており、各々の挟持片からは腕部３１、３１を介して二酸化塩素等の除菌剤を収納するケース部３３が連結されている。基端部５はＵ字状折曲げ部が３つ設けられており、そこに形成される板バネの作用により挟持片２１、２１が大きく弾性的に開くので、靴の厚みの無いものから有るものまで対応できる。【選択図】図１
0003184467.tif 000002
【実用新案登録請求の範囲】
【請求項１】
基端部の両側からそれぞれ挟持片が延び、前記挟持片どうしの間に被挟持部が挿入されると弾性的に開いて被挟持部を挟持する挟持部と、前記各々の挟持片から外方に延びた腕部と、前記腕部の先端側にそれぞれ連設され、二酸化塩素等の除菌剤を収納するケース部とを備えたことを特徴とする除菌剤収納具。
【請求項２】
請求項１に記載した除菌剤収納具において、
基端部には一対の逆Ｕ字状折曲げ部が設けられ、挟持片はそれぞれ逆Ｕ字状折曲げ部の外方側に連続していることを特徴とする除菌剤収納具。
【請求項３】
請求項２に記載した除菌剤収納具において、
基端部には中央に逆Ｕ字状折曲げ部が設けられ、その両側に挟持片が連続する一対の逆Ｕ字状折曲げ部が設けられていることを特徴とする除菌剤収納具。
【請求項４】
請求項１から３のいずれかに記載した除菌剤収納具において、
基端部にはフック部が連設されていることを特徴とする除菌剤収納具。
【考案の詳細な説明】
【技術分野】
【０００１】
本考案は、二酸化塩素等の除菌剤を収納する除菌剤収納具に関するものである。
【背景技術】
【０００２】
近年の衛生嗜好の高まりに基づいて、靴、特に菌が繁殖し易いブーツについても除菌効果が強く求められている。
これに答えて、特許文献１では、除菌剤等を付けるフック部を設けたブーツスタンドが提案されている。
【先行技術文献】
【特許文献】
【０００３】
【特許文献１】実用新案登録第３１４０２３５号公報
【考案の概要】
【考案が解決しようとする課題】
【０００４】
最近では、除菌剤を袋に封入したものが広く市販されているが、これはストラップの付いたケース等に収納し、ストラップを首に掛けて携帯することが想定されており、その除菌剤入りの袋にはフック部に掛けられるような部位は設けられていない。
従って、特許文献１で提案する使用の仕方では、メーカー側がフック部に掛ける部位を設けた専用品を新たに準備するか、或いは購入者側が既存品に孔を開けてフック部に掛ける部位をつくることになり、前者では除菌剤の価格が高くなり、後者では孔を開ける手間が掛かる上に、失敗して袋が破れると除菌剤が袋から漏れ出てしまう恐れがあり、いずれも利便性に欠ける。
【０００５】
本考案は上記従来の問題点に着目して為されたものであり、市販の袋入りの除菌剤をそのまま使用できる、利便性の良い除菌剤収納具を提供することを、その目的とする。
【課題を解決するための手段】
【０００６】
本考案は上記課題を解決するためになされたものであり、請求項１の考案は、  基端部の両側からそれぞれ挟持片が延び、前記挟持片どうしの間に被挟持部が挿入されると弾性的に開いて被挟持部を挟持する挟持部と、前記各々の挟持片から外方に延びた腕部と、前記腕部の先端側にそれぞれ連設され、二酸化塩素等の除菌剤を収納するケース部とを備えたことを特徴とする除菌剤収納具である。
【０００７】
請求項２の考案は、請求項１に記載した除菌剤収納具において、基端部には一対の逆Ｕ字状折曲げ部が設けられ、挟持片はそれぞれ逆Ｕ字状折曲げ部の外方側に連続していることを特徴とする除菌剤収納具である。
【０００８】
請求項３の考案は、請求項２に記載した除菌剤収納具において、基端部には中央に逆Ｕ字状折曲げ部が設けられ、その両側に挟持片が連続する一対の逆Ｕ字状折曲げ部が設けられていることを特徴とする除菌剤収納具である。
【０００９】
請求項４の考案は、請求項１から３のいずれかに記載した除菌剤収納具において、基端部にはフック部が連設されていることを特徴とする除菌剤収納具である。
【考案の効果】
【００１０】
本考案の除菌剤収納具によれば、市販の袋入り除菌剤をそのまま利用できる。
【図面の簡単な説明】
【００１１】
【図１】本考案の実施の形態に係る除菌剤収納具の斜視図である。
【図２】図１の基端部の拡大正面図である。
【図３】図１の除菌剤収納具の靴の厚み対応の説明図である。
【図４】図１の除菌剤収納具の使用例（レインブーツ）の説明図である。
【図５】図１の除菌剤収納具の使用例（レースアップブーツ）の説明図である。
【図６】図１の除菌剤収納具の使用例（短靴）の説明図である。
【図７】図１の除菌剤収納具の使用例（クローゼット）の説明図である。
【考案を実施するための形態】
【００１２】
本考案の実施の形態に係る除菌剤収納具１を図１、２にしたがって説明する。
符号３は挟持部を示し、この挟持部３の基端部５は、中央の逆Ｕ字状折曲げ部７を挟んで両側に逆Ｕ字状折曲げ部１１が並んでおり、逆Ｕ字状折曲げ部７の一対の下端部が逆Ｕ字状折曲げ部１１の内方片側下端部と連続している。
逆Ｕ字状折曲げ部１１、１１は傾いており、逆Ｕ字状折曲げ部１１、逆Ｕ字状折曲げ部７、逆Ｕ字状折曲げ部１１の上側輪郭線を繋いだ線は円弧に似た曲線を描いている。
逆Ｕ字状折曲げ部７の両側片９、９間の寸法は略同じになっているが、逆Ｕ字状折曲げ部１１の内方片１３、外方片１５間の寸法は天井側に向かうほど大きくなっている。また、逆Ｕ字状折曲げ部１１の外方片１５は内方片１３より短くなっている。
【００１３】
この折曲げにより、逆Ｕ字状折曲げ部１１の内方片１３とそれに相対する逆Ｕ字状折曲げ部７の一側片９との間で板バネ１７が形成され、逆Ｕ字状折曲げ部１１の間で板バネ１９が形成されている。
逆Ｕ字状折曲げ部７、逆Ｕ字状折曲げ部１１は、共に、前後方向にある程度の寸法の幅を有しており、適度なバネ力が形成されている。
【００１４】
各逆Ｕ字状折曲げ部１１の外方片１５の下端部には、挟持片２１の上端部が連設されている。挟持片２１は、細長く下方に延びており、下方に向かうにつれて横寸法が小さくなっている。そして、挿入開始側となる下端部２３は、外方に向かって湾曲している。従って、一対の挟持片２１、２１が、基端部５から吊り下がった状態で並列し、それらの隙間は下端部２３、２３では三角状に拡がった状態となっている。
【００１５】
各挟持片２１は全体として前面側が凹んだ凹部状に成形されており、凹部内では幾つかの箇所に補強板２５が設けられて形状が保持されている。この凹部状にすることで、全体の重量を抑えながら、前後方向にある程度の寸法の幅を持たせた壁部を作り出している。このうち内壁部は被挟持部が当接する当接部２７になっており、外壁部は後述する腕部の取付け部２９になっている。
【００１６】
各挟持片２１の外壁部の外面からは腕部３１が連結されている。この腕部３１は外方に向かって下方に傾斜しながら延びている。この腕部３１も、上記した挟持片２１と同様に、凹部状に形成され、補強板２５が設けられている。
各腕部３１の先端側には、ケース部３３が連設されている。
【００１７】
ケース部３３は全体として矩形状を為しており、収納本体３５と、蓋体３９とによって構成されている。収納本体３５の側壁部には開口側に段差３７が設けられており、外面側が内面側より一段低くなっている。蓋体３９は凹部状になっており、その側壁部には開口側に段差４１が設けられており、外面側が内面側より一段高くなっている。
収納本体３５と蓋体３９は一短辺側で回動自在に連結されており、蓋体３９を回動させて閉じると、蓋体３９側の段差４１と収納本体３５側の段差３７が嵌合して閉じるようになっている。また、蓋体３９側にはロック用の爪４３が設けられ、収納本体３５側には爪掛け部４５が設けられているので、閉じたときに爪４３を爪掛け部４５に掛けることでロックできる。
収納本体３５の底壁と蓋体３９の天井壁にはそれぞれ、複数の連通孔４７が形成されている。
【００１８】
収納本体３５の一長辺側の側壁部が腕部３１の先端側に連設されており、蓋体３９を開くと、収納本体３５と蓋体３９が上下方向に展開し、上記した爪４３と爪掛け部４５は上下端にそれぞれ位置する。
収納本体３５の内部空間は、市販の袋入り除菌剤Ｊを折り曲げたりせずそのまま収納できる大きさに設定されている。
【００１９】
基端部５の中央の逆Ｕ字状折曲げ部７の上端部にはフック部４９が連設されている。このフック部４９は、Ｃ字状掛け部５１とその下端に延びた連結部５５とが一体となっている。このフック部４９も、上記した挟持片２１と同様に、凹部状に形成され、補強板２５が設けられている。そして、Ｃ字状掛け部５１の内壁部がパイプ等の当接部５３になっている。
【００２０】
除菌剤収納具１は、樹脂成形品であり、上記した各部が一体的に成形されており、挟持部３、腕部３１、フック部４９の壁部の高さは略同じになっている。
被挟持部等に当接する当接部２７、５３がある程度の幅を持っているので、挟持したり、掛けたりし易くなっている。ある程度の剛性もあるので、ブーツスタンドとしての機能も果たせるようになっている。
【００２１】
上記した構成により、基端部５の板バネ１７が拡開変形し、板バネ１９が縮閉変形できるようになっており、その結果として、一対の挟持片２１、２１の開き可能な角度範囲が大きくなっている。
図３（１）が板バネ１７、１９の変形が小さい場合で、一対の挟持片２１、２１の開き度が小さい場合を示し、図３（２）が板バネ１７、１９の変形が大きい場合で、一対の挟持片２１、２１の開き度が大きい場合を示している。
図３（１）は厚みの無いものを挟持するとき、図３（２）は厚みの有るものを挟持するときの状態である。
【００２２】
次に、上記した構成の除菌剤収納具１の使用例について説明する。
図４は、レインブーツに取り付けた場合を示す。
図４（Ａ）に示すように、一足のレインブーツを左右で重ね合わせた状態で立たせ、その重ね合わせた部分を被挟持部として一対の挟持片２１、２１の間にその下端部２３、２３側から挿入させて挟持する。レインブーツは厚みが無いので、図４（Ｂ）に示すように、板バネ１７、１９は殆ど変形していない。
図５は、レースアップブーツに取り付けた場合を示す。
レインブーツと同様にして挟持する。レースアップブースはレインブーツより厚みが有るので、板バネ１７はより大きく拡開変形し、板バネ１９はより大きく縮閉変形し、結果として、一対の挟持片２１、２１は、レインブーツを挟持した場合よりも、大きく開いている。
このように、様々なブーツの厚みに対応できる。
【００２３】
ケース部３３に収納された袋入り除菌剤Ｊ中の除菌剤である二酸化塩素ガスは連通孔４７から放出されるので、ブーツ内が除菌される。なお、二酸化塩素ガスは空気よりも重いので、図４、図５に示すように、ブーツの上側にケース部３３が位置していても、そこから放出された二酸化塩素ガスは底側に向かうので、底側も除菌される。
【００２４】
図６は、短靴に取り付けた場合を示す。
一足の短靴を左右で重ね合わせた状態で並べ、その重ね合わせた部分を被挟持部として一対の挟持片２１、２１の間にその下端部２３、２３側から挿入させて挟持する。短靴はその名の通り短いが、除菌剤収納具１は全体として扁平に成形されているので、アッパー側に沿って斜めに傾けて挿入することで、ケース部３３を靴内に入れることができる。フック部４９を踵側に掛けることで、ケース部３３は靴のアッパー側に保持できる。
【００２５】
図７は、クローゼット内のパイプＰに取り付けた場合を示す。
フック部４９のＣ字状掛け部５１をパイプＰに掛けると、曲面状の当接部５３がパイプＰに当接して、安定した直立姿勢に保持される。
このように、フック部４９を利用して、クローゼット内の除菌を行うこともできる。
【００２６】
以上、本考案の実施の形態について詳述してきたが、具体的構成は、この実施の形態に限られるものではなく、本考案の要旨を逸脱しない範囲における設計の変更などがあっても考案に含まれる。
【産業上の利用可能性】
【００２７】
本考案は、樹脂成形品の製造業に利用できる。
【符号の説明】
【００２８】
１…除菌剤収納具                ３…挟持部
５…基端部                      ７…逆Ｕ字状折曲げ部
９…両側片                    １１…逆Ｕ字状折曲げ部
１３…内方片                    １５…外方片
１７…板バネ                    １９…板バネ
２１…挟持片                    ２３…（挟持片の）下端部
２５…補強板                    ２７…当接部
２９…取付け部                  ３１…腕部
３３…ケース部                  ３５…収納本体
３７…（収納本体の）段差        ３９…蓋体
４３…爪                        ４５…爪掛け部
４７…連通孔                    ４９…フック部
５１…Ｃ字状掛け部              ５３…当接部
５５…連結部
Ｊ…袋入り除菌剤
【図１】
0003184467.tif 000003
【図２】
0003184467.tif 000004
【図３】
0003184467.tif 000005
【図４】
0003184467.tif 000006
【図５】
0003184467.tif 000007
【図６】
0003184467.tif 000008
【図７】
0003184467.tif 000009